(57)【要約】【課題】簡便な構成で、持ち運びができ、時間がたっても溶存酸素濃度が下がらない酸素水を使用すること。【解決手段】酸素水生成容器１がガス透過膜２によって水貯留室３と酸素発生室４に仕切られ、酸素発生室４では過酸化水素水８と二酸化マンガン１０の反応によって生成した酸素がガス透過膜２を通って水貯留室３内へ透過し、高い溶存酸素濃度によって酸素水６が得られる。【選択図】図１
2007301522.tif 000002
【特許請求の範囲】
【請求項１】
酸素が通るガス透過膜あるいはガス透過壁によって内部が仕切られ、酸素水の取り出せる水貯留室と酸素発生室を形成した容器を備え、前記水貯留室には水を、前記酸素発生室には過酸化水素水と二酸化マンガンをそれぞれ入れ、前記酸素発生室において発生した酸素が前記ガス透過膜あるいはガス透過壁を通って前記水貯留室に入り、酸素が水へ溶存して酸素水となる酸素水生成容器。
【請求項２】
酸素が通るガス透過膜あるいはガス透過壁によって内部が仕切られ、上部に水貯留室と下部に酸素発生室を形成した容器と、水を入れた前記水貯留室に開閉可能に設けた蓋および過酸化水素水を入れた前記酸素発生室に開閉可能に設け、二酸化マンガンを設けた蓋を備え、前記二酸化マンガンと過酸化水素水との反応が前記酸素発生室にて行なわれるようにした酸素水生成容器。
【発明の詳細な説明】
【技術分野】
【０００１】
本発明は、飲料、美容、育毛などに使用される酸素が高濃度に溶存した酸素水を生成してそのまま容器として使用できる酸素水生成容器に関するものである。
【背景技術】
【０００２】
近来、飲料、美容、育毛などに使用される酸素が高濃度に溶存した酸素水が注目を浴び、酸素水が容器に詰められて市販されるようになってきている。具体的な酸素水生成方法として、水を循環させながら酸素を溶かし込んでいく装置（例えば特許文献１参照）、密閉した容器に酸素ガスと水を閉じ込めて揺動して酸素を溶かす容器が提案されている。（例えば特許文献２参照）。
【特許文献１】特開２００５−６６３８７号公報
【特許文献２】特開２００４−２３７２７１号公報
【発明の開示】
【発明が解決しようとする課題】
【０００３】
しかしながら、前記従来のような市販の酸素水では、流通や保管している間に徐々に酸素が揮発してしまい、使用時に高い溶存酸素濃度な酸素水が維持できているとは限らない。また、容器を開けてしまえば、さらに酸素はぬけていってしまうので、容器内の酸素水を、高い溶存酸素濃度が維持されたまま少しずつ使用することができない。
【０００４】
また特許文献１に記載のような装置では、使用するたびに酸素水を生成すれば良いが、装置として大きくてコストがかかり、持ち運びもできない。特許文献２に記載のような容器では、容器を開けてしまえば酸素はぬけていってしまうので、容器内の酸素水を少しずつ使用することができない。
【０００５】
前記従来の課題に鑑み、本発明が解決しようとする課題は、一度開けて中味の一部を使用しても、溶存酸素濃度が下がらない酸素水を提供できる酸素水生成容器を提供することにある。
【課題を解決するための手段】
【０００６】
前記課題を解決するために、本発明の酸素水生成容器は、酸素が通るガス透過膜あるいはガス透過壁によって内部が仕切られ、上部に酸素水を取り出せる水貯留室と下部に酸素発生室を形成した容器を備え、前記水貯留室には水を、前記酸素発生室には過酸化水素水と二酸化マンガンをそれぞれ入れ、前記酸素発生室において発生した酸素が前記ガス透過膜あるいはガス透過壁を通って前記水貯留室に入り、酸素が水へ溶存して酸素水となる酸素水生成容器としたものである。
【０００７】
本発明のような構成としたことによって、非常に簡単な構成で酸素水を供給することができるとともに、常に酸素を発生する酸素発生室から酸素が水貯留室へ供給され、高い溶存酸素濃度の酸素水を維持でき、かつ持ち運び可能にも容易にできる。
【発明の効果】
【０００８】
本発明の酸素水生成容器は、時間の経過で酸素水の酸素濃度が下がらないので、容器内の酸素水を少しずつ使用することもでき、常に必要な溶存酸素濃度が維持でき、かつ持ち運び可能にも容易にできる。
【発明を実施するための最良の形態】
【０００９】
第１の発明は、酸素が通るガス透過膜あるいはガス透過壁によって内部が仕切られ、上部に酸素水を取り出せる水貯留室と下部に酸素発生室を形成した容器を備え、前記水貯留室には水を、前記酸素発生室には過酸化水素水と二酸化マンガンをそれぞれ入れ、前記酸素発生室において発生した酸素が前記ガス透過膜あるいはガス透過壁を通って前記水貯留室に入り、酸素が水へ溶存して酸素水となる酸素水生成容器としたものである。
【００１０】
これによって、酸素発生室で過酸化水素水と二酸化マンガンの反応によって生成する酸素が、ガス透過膜あるいはガス透過壁を通って水貯留室の水に溶け込み続けようとするので、水貯留室の水は常に高い溶存酸素濃度を維持できるのである。従って、容器内の酸素水を少しずつ使用しても常に必要な溶存酸素濃度の酸素水を使用でき、目的に応じた経済的な使用が可能になり、また容器なので持ち運び可能にすることも容易になる。
【００１１】
第２の発明は、酸素が通るガス透過膜あるいはガス透過壁によって内部が仕切られ、上部に水貯留室と下部に酸素発生室を形成した容器と、水を入れた前記水貯留室に開閉可能に設けた蓋および過酸化水素水を入れた前記酸素発生室に開閉可能に設け、二酸化マンガンを設けた蓋を備え、前記二酸化マンガンと過酸化水素水との反応が前記酸素発生室にて行なわれるようにした酸素水生成容器としたものである。
【００１２】
これによって、過酸化水素水を酸素発生室に注入するときは、底部の蓋を開けて酸素水生成容器を上下反転して注ぎ入れ、底部の蓋を閉めて酸素水生成容器をもとの姿勢に戻すと、過酸化水素水と二酸化マンガンが反応するので、取り扱いが簡便に酸素発生を実現することができるのである。もちろん、上記第１の発明と同様の作用効果も得られるものである。
【００１３】
以下、本発明の形態について、図面を参照しながら説明する。なお、この実施の形態によって本発明が限定されるものではない。
【００１４】
（実施の形態１）
図１は本発明の第１の実施の形態における酸素水生成容器の断面図で、図２は本発明の第１の実施の形態における酸素水生成容器の水を入れた状態を入れた状態を示した断面図で、図３は本発明の第１の実施の形態における酸素水生成容器の過酸化水素水を入れる前の状態を示した断面図で、図４は本発明の第１の実施の形態における酸素水生成容器の過酸化水素水を入れて底部蓋を閉めた状態を示した断面図である。
【００１５】
図１において、容器となる酸素水生成容器１は、持ち運び可能な瓶のような縦長の容器の形態に形成され、その中を上下二つのスペースに仕切るガス透過膜２が設けてあり、一方の上部のスペースを水貯留室３と他方の下部のスペースを酸素発生室４とに分けている。そして、酸素水生成容器１は水貯留室３の上部の細くなった取り出し口１ａには蓋である上部蓋５が閉めてあって、使用のたびに開けて中の酸素水６を取り出し口１ａより取り出して使用する。なお、図２と図３、図４においてはこの酸素水６は酸素溶存前なので水７として表す。
【００１６】
酸素発生室４の内部には、過酸化水素水８と着脱自在に酸素水生成容器１の底部に設けた蓋である底部蓋９に取り付けられた二酸化マンガン１０とを入れ、二酸化マンガン１０と過酸化水素水８との反応で酸素が発生し、ガス透過膜２を通って上部の水貯留室３に自然に入り、酸素は水７へ溶存して酸素水６となる構成である。
【００１７】
以下、具体的な使用方法、動作、作用などを、図１〜図４を参照しながら説明する。まず使用者は図２のように酸素水生成容器１の上部蓋５を開けた状態で、水貯留室３へ水７を注ぎ入れる。次に使用者は、上部蓋５を閉めて酸素水生成容器１を反転させて、底部蓋
９を開けて図３のような状態とし、酸素発生室４の中に過酸化水素水８を注ぎ入れる。
【００１８】
次に使用者は底部蓋９を固く閉め、この状態が図４である。そして、酸素水生成容器１を図１に示す元の姿勢に戻す。戻した状態が図１である。このとき、底部蓋９には二酸化マンガン１０が取り付けられているので、過酸化水素水８と二酸化マンガン１０が触れ合って反応し、酸素発生室４の底部にて酸素が発生し始める。酸素発生室４は密閉状態であるので発生した酸素はガス透過膜２を通り上部の水貯留室３に自然に入っていく。そして、ガス透過膜２を通る酸素は分子レベルの大きさなので水７にはよく溶解し、条件によっては過溶解状態までになる。
【００１９】
ガス透過膜２の材質は、液体を通さず気体をよく通すものであれば何でもよい。本実施の形態では低密度ポリエチレンを用いたが、例えば酸素を選択的によく通すポリシランなどでもよい。また、圧力に耐えうるために膜を用いずに、ある程度厚みのある多孔質の壁状のものであっても良い。
【００２０】
なお、過酸化水素水８の濃度は１％ほどで十分である。二酸化マンガン１０の表面積で変わってくるが、あまり過酸化水素水８の濃度が高いと酸素が多量に発生しすぎて圧力が上がりすぎることもある。本実施の形態では二酸化マンガン１０を底部蓋９の裏の表面に塗布し、過酸化水素水８の濃度を１％とすると、反応後１０分で酸素水６の溶存酸素の量は２０ｐｐｍとなった。
【００２１】
２０ｐｐｍ以上あれば、飲用、美容、育毛に効果があるとされている。さらに反応から時間を置けば３０ｐｐｍほどにもなる。使用者は使いたい分量だけ酸素水６を使えば、上部蓋５を閉めればよい。
【００２２】
この後、時間がたっても溶存酸素濃度は上がることがあっても下がることはない。したがって、水７がなくならない限り、いつでも高濃度な酸素水を使用することができ、水がなくなっても上部蓋５を開けて水を追加すればよい。酸素の発生が少なくなれば、酸素発生室４内での泡の生成が見られなくなるので、そのときは底部蓋９をはずして図３のようにして過酸化水素水８を取り替えれば何度でも使用できるのである。
【００２３】
以上のようにすれば、過酸化水素水８がある限り、酸素水生成容器１を携帯して、いつでもどこでも取り扱い簡便に酸素発生を実現し、高濃度な酸素水を使用することができるのである。
【産業上の利用可能性】
【００２４】
以上のように、本発明にかかる酸素水生成容器は、酸素が高濃度に溶存した酸素水を取り扱い簡便に実現でき、飲料、美容、育毛などに使用されるだけでなく、植物栽培、養殖業などにも適用できる。
【図面の簡単な説明】
【００２５】
【図１】本発明の実施の形態１における酸素水生成容器の断面図
【図２】本発明の実施の形態１における酸素水生成容器の水を入れた状態を入れた状態を示した断面図
【図３】本発明の実施の形態１における酸素水生成容器の過酸化水素水を入れる前の状態を示した断面図
【図４】本発明の実施の形態１における酸素水生成容器の過酸化水素水を入れて底部蓋を閉めた状態を示した断面図
【符号の説明】
【００２６】
１  酸素水生成容器
２  ガス透過膜
３  水貯留室
４  酸素発生室
６  酸素水
８  過酸化水素水
９  底部蓋
１０  二酸化マンガン
【図１】
2007301522.tif 000003
【図２】
2007301522.tif 000004
【図３】
2007301522.tif 000005
【図４】
2007301522.tif 000006